(57)【要約】  ハウジングと底板により形成され、下向きに循環吸込口及び循環吹出口が設けられ、上向きに換気接続口が設けられ、内部に、循環送風機、前記換気接続口を開閉するダンパー及び加熱部が配置された循環風路を有し、浴室の天井に設置される循環ユニットと、下向きに浴室吸込口が設けられ、横向きに排気口が設けられ、内部に換気送風機が配置された換気風路を有し、幅及び奥行きが前記循環ユニットの幅及び奥行以下に形成され、前記循環ユニットの上に配置された換気ユニットと、を備える。
2012127662.tif 000002
【特許請求の範囲】
【請求項１】
ハウジングと底板により形成され、下向きに循環吸込口及び循環吹出口が設けられ、上向きに換気接続口が設けられ、内部に、循環送風機、前記換気接続口を開閉するダンパー及び加熱部が配置された循環風路を有し、浴室の天井に設置される循環ユニットと、
下向きに浴室吸込口が設けられ、横向きに排気口が設けられ、内部に換気送風機が配置された換気風路を有し、幅及び奥行きが前記循環ユニットの幅及び奥行以下に形成され、前記循環ユニットの上に配置された換気ユニットと、
を備えることを特徴とする浴室乾燥機。
【請求項２】
前記循環ユニットと前記換気ユニットは、一体のハウジングを有することを特徴とする請求項１に記載の浴室乾燥機。
【請求項３】
前記循環ユニットと前記換気ユニットは、夫々別体のハウジングを有することを特徴とする請求項１に記載の浴室乾燥機。
【請求項４】
前記ダンパーは、前記循環風路内の循環送風機と加熱部との間の換気接続口の下側に配置され、前記換気風路には、前記浴室吸込口の他に浴室以外の他室から空気を吸込む他室吸込口が設けられ、前記換気接続口は、前記排気口の下方に配置されていることを特徴とする請求項１に記載の浴室乾燥機。
【請求項５】
前記ダンパーは、基端部に設けられたダンパー回転軸回りに回動する回転ダンパーであり、該回転ダンパーは、ステッピングモータにより駆動され、前記換気接続口を閉じる位置と、前記循環風路の下流側を閉じ該循環風路の上流側を前記換気接続口に連通させる位置と、前記循環風路の上流側を、前記下流側と前記換気接続口の両方に連通させる位置と、に位置決めされることを特徴とする請求項１に記載の浴室乾燥機。
【請求項６】
加熱部は、自己温度制御機能を有するヒータで構成されていることを特徴とする請求項１に記載の浴室乾燥機。
【請求項７】
ハウジングと底板により形成され、下向きに循環吸込口及び循環吹出口が設けられ、上向きに換気接続口が設けられ、内部に、循環送風機、前記換気接続口を開閉するダンパー及び加熱部が配置された循環風路を有し、浴室の天井に設置される循環ユニットと、
前記循環ユニットの換気接続口の上に配置され、横向きに排気口が設けられた排気ダクト接続部材と、
を備えることを特徴とする浴室乾燥機。
【発明の詳細な説明】
【技術分野】
【０００１】
本発明は、浴室の天井に設置され、浴室を換気、乾燥、暖房する１室用の浴室乾燥機、及び、浴室以外の他室の換気も同時に行なうことができる多室用の浴室乾燥機に関する。
【背景技術】
【０００２】
従来、浴室乾燥機には、浴室を換気、乾燥、暖房する１室用の浴室乾燥機と、脱衣所、トイレ等の浴室以外の他室の換気も行なうことができる多室用の浴室乾燥機があり、換気風路と循環風路に関して多くの提案がなされている。【０００３】
多室用の浴室乾燥機は、浴室を換気、乾燥、暖房する機能と、他室を換気する機能と、２つの機能を有し、夫々の機能を独立に動作させる場合には、少なくとも２つの風路が必要となる。そのため、多室用の浴室乾燥機は、浴室のみの１室用の浴室乾燥機と比べて大形となり、設置施工性、メンテナンス性が悪い。多室用の浴室乾燥機については、設置施工性、メンテナンス性の改善のために、種々の提案がなされている。【０００４】
例えば、特許文献１で提案されている浴室乾燥機は、浴室内に加熱空気を循環させる循環ユニットと、他室を換気し屋外へ排気する換気ユニットと、前記循環ユニットと換気ユニットの間に設けられたダンパーユニットとにより構成されている。ダンパーユニットは、循環風路と換気風路とを切替えたり、分流する機能を持つ。ダンパー回転軸をダンパー板の略中央に設けたことにより、浴室及び他室の吸込風量を安定させるとともに、風量分配、風量調整が可能である。【０００５】
また、特許文献２で提案されている浴室乾燥機は、浴室の既設換気扇に後付けするか、若しくは、独立して取付けることが可能である。この浴室乾燥機は、浴室空気を吸込み、加熱して浴室内へ戻す温風循環装置がベース板で構成されており、ベース板が浴室開口部を開放させた状態で、温風循環装置が浴室内に位置するように固定される。この構成により、設置工事の簡略化と現状復帰が可能である。また、既設換気扇の機能を阻害しない。【０００６】
また、特許文献３で提案されている浴室乾燥機は、他室の空気を換気する換気ユニットの換気ケーシング内に、浴室空気を循環、換気、暖房する循環ユニットを配置している。換気ケーシング内に循環ユニットを配置するため、天井の設置面積を小さくすることができる。
【先行技術文献】
【特許文献】
【０００７】
【特許文献１】特許第３８６０３７７号公報
【特許文献２】特許第４３５２４４０号公報
【特許文献３】特許第４１９６６６１号公報
【発明の概要】
【発明が解決しようとする課題】
【０００８】
しかしながら、特許文献１に記載された浴室乾燥機は、ダンパー回転軸をダンパー板の略中央に設けてダンパーを開閉するため、ダンパーを９０°回転させる必要性がある。従って、風路内の両側にダンパーを回転させるための空間が必要となり、換気のための開口に大きな面積を確保しようとする場合、ダンパーの回転のために必要な空間も大きくなる。そのため、浴室乾燥機の小形化が難しい、という問題がある。さらには、ダンパーは風路壁面に配置する必要があるため、ダンパーが開閉を行っている２つの風路両方に前記ダンパーの回転のための空間が必要となる。また、循環ユニットの側面にダンパーユニットと換気ユニットを取付け、天井開口部には循環ユニットが配置されるので、換気ユニットをメンテナンスするとき着脱性が悪い、という問題がある。【０００９】
特許文献２に記載された浴室乾燥機は、浴室乾燥機を浴室の天井に取付けるので、その高さと設置面積を小さくすることが求められる。しかしながら、循環風路と換気風路を別風路とし、換気風路には風路の遮蔽手段を浴室側に取付けているので、浴室側の高さと設置面積を小さくすることは、風路の構成上難しい。また、遮蔽手段は、浴室側の出寸法を抑え薄型化するために、ばね式の遮蔽手段が採用されており、構造が複雑である、という問題がある。【００１０】
また、特許文献３に記載された浴室乾燥機は、浴室と他室を換気するための換気用送風機の本体ケース内に、浴室内に送風、暖房するための循環用送風機と加熱部からなる循環ユニットを配置するため、浴室と換気送風機を繋ぐ風路の充分な開口面積を確保することが難しい。循環ユニットのユニットケースと換気送風機の本体ケースとの隙間を浴室と換気送風機を繋ぐ風路としているため、２枚のダンパーが必要となり、構造が複雑で高コストとなる、という問題がある。【００１１】
本発明は、上記に鑑みてなされたものであって、小形軽量で設置施工性がよく、換気ユニット（換気風路）の幅と奥行きを循環ユニット（循環風路）の幅と奥行き以内に収めて着脱性、メンテナンス性を改善し、小形ながら浴室排気風路の十分な開口面積を確保した浴室乾燥機を得ることを目的とする。
【課題を解決するための手段】
【００１２】
上述した課題を解決し、目的を達成するために、本発明は、ハウジングと底板により形成され、下向きに循環吸込口及び循環吹出口が設けられ、上向きに換気接続口が設けられ、内部に、循環送風機、前記換気接続口を開閉するダンパー及び加熱部が配置された循環風路を有し、浴室の天井に設置される循環ユニットと、下向きに浴室吸込口が設けられ、横向きに排気口が設けられ、内部に換気送風機が配置された換気風路を有し、幅及び奥行きが前記循環ユニットの幅及び奥行以下に形成され、前記循環ユニットの上に配置された換気ユニットと、を備えることを特徴とする。
【発明の効果】
【００１３】
本発明にかかる浴室換気扇は、小形軽量で設置施工性がよく、換気ユニット（換気風路）の幅と奥行きを循環ユニット（循環風路）の幅と奥行き以内に収めて着脱性、メンテナンス性がよく、小形ながら浴室排気風路の十分な開口面積を確保することができる。
【図面の簡単な説明】
【００１４】
【図１】図１は、本発明に係る浴室乾燥機の実施の形態１を示す断面図である。
【図２】図２は、ダンパーの回転位置を換気位置としたときの循環風路の下流側を示す断面図である。
【図３】図３は、ダンパーの回転位置を乾燥、涼風位置としたときの循環風路の下流側を示す断面図である。
【図４】図４は、ダンパーの回転位置を風乾燥位置としたときの循環風路の下流側を示す断面図である。
【図５】図５は、ダンパーの回転位置を暖房位置としたときの循環風路の下流側を示す断面図である。
【図６】図６は、実施の形態１の浴室乾燥機の上面図である。
【図７】図７は、実施の形態１のダンパーの駆動部を示す断面図である。
【図８】図８は、本発明に係る浴室乾燥機の実施の形態２を示す断面図である。
【図９】図９は、実施の形態２の循環ユニットを示す断面図である。
【図１０】図１０は、実施の形態２の換気ユニットを示す断面図である。
【図１１】図１１は、実施の形態２の１室用の浴室乾燥機を示す断面図である。
【発明を実施するための形態】
【００１５】
実施の形態の浴室乾燥機は、換気、乾燥、涼風、風乾燥及び暖房の５つの運転モードを有し、リモートコントローラにより運転モードを切替えることができる。また、多室用の浴室乾燥機では、上記の運転と同時に、浴室とは別の他室の換気を行うことができる。
【００１６】
換気運転では、１室用の浴室乾燥機の場合は、循環送風機を運転して浴室の空気を外部へ排気する。多室用の浴室乾燥機の場合は、換気送風機を運転して、浴室と他室の両方の空気を外部へ排気する。
【００１７】
乾燥運転では、循環送風機を運転して浴室から吸込んだ空気を、ダンパーにより循環側と換気側に分流し、循環側に分流された空気を、加熱部で加熱して浴室内に温風送風すると共に、換気側に分流された浴室の空気を外部へ排気して浴室内の乾燥を行う。このとき、換気風量よりも循環風量の方が多くなるように、ダンパーの開度を調整する。多室用の場合は、換気送風機を運転して、浴室と他室の両方の空気を外部へ排気する。
【００１８】
涼風運転では、循環送風機を運転して浴室から吸込んだ空気を、ダンパーにより循環側と換気側に分流し、循環側に分流された空気を浴室内に送風すると共に、換気側に分流された浴室の空気を外部へ排気して排熱を行う。涼風運転では、加熱部での加熱を行わず、循環空気は、常温のまま浴室内へ送風される。このとき、換気風量よりも循環風量の方が多くなるように、ダンパーの開度を調整する。多室用の場合は、換気送風機を運転して、浴室と他室の両方の空気を外部へ排気する。
【００１９】
風乾燥運転では、循環送風機を運転して浴室から吸込んだ空気を、ダンパーにより循環側と換気側に分流し、循環側に分流された空気を浴室内に送風すると共に、換気側に分流された浴室の空気を外部へ排気して浴室の乾燥を行う。このとき、循環風量よりも換気風量の方が多くなるように、ダンパーの開度を調整する。多室用の場合は、換気送風機を運転して、浴室と他室の両方の空気を外部へ排気する。風乾燥運転は、乾燥運転とは異なり、温風を用いずに送風と換気で浴室の乾燥を行う。通常の乾燥運転に比べ乾燥時間は延びるが、省エネルギーとなる。
【００２０】
暖房運転では、循環送風機を運転して浴室から吸込んだ空気を、ダンパーにより循環側に流し、加熱部で加熱して浴室内へ送風し暖房を行う。１室用の場合は、暖房時、換気機能は停止するが、多室用の場合は、換気送風機を運転すれば他室換気を行なうことができる。
【００２１】
上記の５つの運転モードで運転するためには、循環風路内に風路を４つ形成する必要があり、ダンパーとしての回転ダンパーの回転（搖動）位置により、各風路を形成するようにした。各運転モードにおける回転ダンパーの回転位置、風路形成については、実施の形態の説明で詳細を説明する。
【００２２】
以下に、本発明に係る浴室乾燥機の実施の形態を図面に基づいて詳細に説明する。なお、この実施の形態によりこの発明が限定されるものではない。
【００２３】
実施の形態１．
図１は、本発明に係る浴室乾燥機の実施の形態１を示す断面図であり、図２は、ダンパーの回転位置を換気位置としたときの循環風路の下流側を示す断面図であり、図３は、ダンパーの回転位置を乾燥、涼風位置としたときの循環風路の下流側を示す断面図であり、図４は、ダンパーの回転位置を風乾燥位置としたときの循環風路の下流側を示す断面図であり、図５は、ダンパーの回転位置を暖房位置としたときの循環風路の下流側を示す断面図であり、図６は、実施の形態１の浴室乾燥機の上面図であり、図７は、実施の形態１のダンパーの駆動部を示す断面図である。
【００２４】
図１に示すように、実施の形態１の浴室乾燥機９１は、一体に形成されたハウジング１６内に、浴室の換気、乾燥、暖房を行うための循環風路２ａと、浴室及び他室の換気を行うための換気風路２ｂと、を有している。循環風路２ａと換気風路２ｂは、仕切板１９によって仕切られている。
【００２５】
循環風路２ａは、ハウジング１６と循環オリフィス（底板）１７により形成され、下向きに浴室空気の循環吸込口４及び循環吹出口８が設けられ、下流側に上向きに換気接続口９が設けられ、内部上流側にモータＭ１により駆動される循環送風機５が配置され、内部下流側に回転ダンパー６及び加熱部７が配置されている。循環送風機５、回転ダンパー６及び加熱部７を備えた循環風路２ａを循環ユニット９１Ａと呼ぶ。
【００２６】
換気風路２ｂは、ハウジング１６により形成され、循環風路２ａの上に配置され、上流側に下向きに浴室吸入口１２ａが設けられ、下流側に横向きに排気口１３が設けられ、内部に、モータＭ２により駆動される換気送風機１１が配置されている。また、換気送風機１１の上流側には、換気吸込口１０が設けられた換気オリフィス１８が配置されている。浴室吸込口１２ａと換気オリフィス１８の間のスペースは、換気チャンバー１２となっている。換気チャンバー１２には、他室吸込口１２ｂが開口している。換気送風機１１を備えた換気風路２ｂを換気ユニット９１Ｂと呼ぶ。
【００２７】
循環風路２ａと換気風路２ｂは、一体のハウジング１６内に形成されている。また、換気ユニット９１Ｂの幅（図６の左右方向の寸法）及び奥行き（図６の上下方向の寸法）は、循環ユニット９１Ａの幅及び奥行き以下に形成されている。
【００２８】
循環吸込口４の上流側には、空気中の埃を取除くフィルター２０が配置されている。浴室乾燥機９１の下側は、意匠パネル１４で覆われている。モータＭ１の上側には、制御部１５及び電源接続部（図示せず）が配置されている。制御部１５には、通信線を介してリモートコントローラ（図示せず）が接続され、リモートコントローラは、制御部１５に対して運転指令を出力する。
【００２９】
仕切板１９には換気接続口９が設けられていて、ハウジング１６内に仕切板１９を配置することにより、循環風路２ａと換気風路２ｂとを仕切ると共に、循環風路２ａから換気接続口９を通して換気風路２ｂに空気が流れるようになっている。換気接続口９は、浴室吸込口１２ａに連通し、排気口１３の下方に配置されている。
【００３０】
循環風路２ａは、ハウジング１６、仕切板１９及び循環オリフィス（底板）１７により形成され、循環吸込口４及び換気接続口９が下向きに開口する箱状に形成されている。換気接続口９は、回転ダンパー６が開くと、循環風路２ａに連通する。ハウジング１６には、駆動モータＭ１の回転軸を通すための軸通し孔（図示せず）が設けられている。また、ハウジング１６の側板には、加熱部７及び回転ダンパー６を保持する保持部材を挿入するための挿入口が設けられている。
【００３１】
換気風路２ｂは、ハウジング１６と仕切板１９により形成され、上流側の換気チャンバー１２に、浴室吸込口１２ａ及び他室吸込口１２ｂが開口し、下流側に排気口１３が開口する箱状に形成されている。浴室空気は、循環吸込口４、循環送風機５、循環風路２ａ、換気接続口９及び浴室吸込口１２ａを通って換気チャンバー１２に吸込まれる。洗面所、トイレ等の他室の空気は、換気ダクト（図示せず）及び他室吸込口１２ｂを通って換気チャンバー１２に吸込まれる。排気口１３は、排気ダクトにより屋外へ通じている。ハウジング１６には、駆動モータＭ２の回転軸を通すための軸通し孔（図示せず）が設けられている。
【００３２】
循環オリフィス（底板）１７は、ハウジング１６の浴室側に配置され、循環風路２ａと浴室とを仕切っている。循環オリフィス（底板）１７には、浴室の空気を吸込む循環吸込口４が下向きに開口している。
【００３３】
換気オリフィス１８は、換気風路２ｂ内に配置され、浴室吸込口１２ａ及び他室吸込口１２ｂから空気が吸込まれる換気チャンバー１２の空気を吸込む換気吸込口１０が設けられている。
【００３４】
循環送風機５は、片吸込式のシロッコファン送風機であり、循環吸込口４に対向するように、循環風路２ａの上流側に配置されている。循環送風機５から吹出された空気は、回転ダンパー６により、加熱部７から循環吹出口８へ流れる循環風路２ａと、換気接続口９を通る換気風路２ｂとに分流される。モータＭ１は、循環風路２ａの上側に設置されている。
【００３５】
換気送風機１１は、片吸込式のシロッコファン送風機であり、換気吸込口１０に対向するように、換気風路２ｂ内に配置されている。換気送風機１１は、換気接続口９、浴室吸込口１２ａ、換気チャンバー１２及び換気吸込口１０を通して浴室の空気を吸込み、他室吸込口１２ｂ、換気チャンバー１２及び換気吸込口１０を通して浴室以外の他室の空気を吸込み、排気口１３から排気する。モータＭ２は、換気風路２ｂの上側に設置されている。
【００３６】
加熱部７は、例えば、複数の発熱体を間隔をあけて配置したり、発熱体に複数の放熱フィンを設けたりして、発熱体又は放熱フィンの周囲に空気の流路を形成し、該流路に空気を通して放熱するようにした電気ヒータや、周囲に電気絶縁体及び熱伝導体が配置された発熱体を、金属パイプの中に収めた電気ヒータ等により構成される。
【００３７】
加熱部７は、循環風路２ａの下流に配置されている。加熱部７の過加熱を抑えるために、ＰＴＣ（Positive  Temperature  Coefficient；自己温度制御性）ヒータを用いるのがよい。ＰＴＣヒータは、所定の温度（キュリー温度）になると急激に抵抗値が上昇するＰＴＣ素子を発熱体として用いているため、自己温度制御機能を有しており、安全性に優れていると共に、温度制御が不要で低コストである。
【００３８】
循環吹出口８は、並列配置された羽板を有し、吹出空気を一定の方向に向けることができる。なお、羽板に回転軸を設け、調節手段により向きを調節して風向を調節してもよい。
【００３９】
回転ダンパー６は、循環風路２ａ内の循環送風機５と加熱部７との間の換気接続口９の下側に配置され、先端部及び基端部が平らで中間部が湾曲した板状に形成されている。図７に示すように、回転ダンパー６は、基端部に設けられたダンパー回転軸２３回りに回動する。扇状歯車２４が、回転ダンパー６のダンパー回転軸２３及び側部に固定されており、扇状歯車２４を回動させることにより、回転ダンパー６を回動させることができる。
【００４０】
回転ダンパー６は、扇状歯車２４と小歯車２５を組合わせた減速機により駆動される。小歯車２５を、例えば、ステッピングモータのような駆動手段により回転させ、扇状歯車２４を介して回転ダンパー６を回動、位置決めし、循環風路２ａ及び／又は換気風路２ｂの一部を構成する。
【００４１】
回転ダンパー６は、時計回りには、仕切板１９に接触して換気接続口９を閉じる位置まで、また、反時計回りには、循環オリフィス（底板）１７に接触して循環風路２ａの下流側を閉じ、循環風路２ａの上流側を換気接続口９に連通させる位置まで回動可能であり、回動可能な角度範囲（約３０°）を有している。
【００４２】
回転ダンパー６の回動位置決めは、回転ダンパー６を、時計回り若しくは反時計周りに可動角度範囲以上回動させ、回動が止まる図５若しくは図２に示す位置まで回動させて始点を決めた後、図３若しくは図４に示す、循環風路２ａの上流側を循環風路２ａの下流側及び換気接続口９の両方に連通させる位置まで、回転ダンパー６を回動させる位置決め制御により行う。
【００４３】
意匠パネル１４は、ハウジング１６の浴室内露出部を覆うように、ハウジング１６に取付けられている。意匠パネル１４は、フラットに形成されていて、天井面と意匠パネル１４の外周上向き側壁との間に間隙を開けて取付け、意匠パネル１４全周に亘る隙間から浴室空気を吸込む。
【００４４】
制御部１５は、所定の制御プログラムが格納された記憶素子を備え、リモートコントローラから入力された運転指令に応じて、循環送風機５、換気送風機１１、加熱部７及び回転ダンパー６を夫々個別に制御し、浴室乾燥機９１に換気運転、乾燥運転等を行わせる。
【００４５】
以上説明したように、実施の形態１の浴室乾燥機９１は、回転ダンパー６を基端部に設けられたダンパー回転軸２３による片側支持とし、回動角度を小さくすることにより、循環風路２ａの高さを抑えることができ、浴室乾燥機９１をコンパクト化、軽量化することができる。また、回転角度範囲の中間位置で位置決め、保持することができ、循環風量と換気風量を調節することができる。
【００４６】
また、換気ユニット９１Ｂの幅及び奥行きを循環ユニット９２Ａの幅及び奥行き以下とし、換気ユニット９１Ｂを循環ユニット９１Ａの上に配置し、浴室換気は循環風路２ａを利用し、回転ダンパーにより換気風路２ｂに連通させることにより、充分な開口面積を有する換気風路２ｂとすることができる上に、浴室乾燥機９１をコンパクト化することかできる。また、浴室乾燥機９１の浴室天井への着脱が容易となり、設置施工性、メンテナンス性がよい。
【００４７】
次に、図２〜図５を参照して、実施の形態１の浴室乾燥機９１の換気運転、乾燥運転、涼風運転、風乾燥運転及び暖房運転について説明する。図２に示すように、換気運転では、回転ダンパー６の先端が循環オリフィス（底板）１７に接触する位置まで反時計回りに搖動し、位置決めされ、循環風路２ａの加熱部７側（下流側）が塞がれ、換気接続口９を通して換気風路２ｂへ循環風路２ａが繋がる。
【００４８】
循環風路２ａが換気風路２ｂに繋がると共に、換気送風機１１が運転開始される。その結果、浴室乾燥機９１が設置されている浴室の空気は、循環吸込口４を通って循環風路２ａ内を流れ、回転ダンパー６により換気接続口９へと導かれ、換気風路２ｂの浴室吸込口１２ａを通って換気チャンバー１２へ吸込まれる。また、浴室以外の他室の空気も他室吸込口１２ｂから換気チャンバー１２へ吸込まれ、浴室空気と他室空気は、換気吸込口１０から換気送風機１１に吸込まれ、排気口１３から排気される。これにより、浴室及び他室が換気される。
【００４９】
乾燥運転では、図３に示すように、回転ダンパー６の先端は、仕切板１９にも循環オリフィス（底板）１７にも接触せず、仕切板１９と循環オリフィス（底板）１７の中間位置から仕切板１９側に近い位置に位置決めされる。それ故、換気接続口９から換気風路２ｂ、加熱部７が配置された循環風路２ａの下流側、の両方の風路へ空気が流入可能となる。同時に、循環送風機５、換気送風機１１が運転開始され、加熱部７は通電される。
【００５０】
乾燥運転では、循環送風機５から吹出されて循環風路２ａに流入した浴室空気は、加熱部７を通って、循環吹出口８から浴室内に吹出されると共に、一部が、換気接続口９及び浴室吸込口１２ａを通って換気チャンバー１２へ流入し、他室吸込口１２ｂから吸込まれた空気と混合し、換気送風機１１に吸込まれて排気口１３から外部へ排気される。乾燥運転では、浴室内へ温風を吹出しながら換気を行なって、浴室や衣類を乾燥することができ、浴室乾燥機９１を温風乾燥機として機能させることができる。
【００５１】
涼風運転では、図３に示すように、回転ダンパー６の先端は、仕切板１９にも循環オリフィス（底板）１７にも接触せず、仕切板１９と循環オリフィス（底板）１７の中間位置から仕切板１９側に近い位置に位置決めされる。それ故、換気接続口９から換気風路２ｂ、加熱部７が配置された循環風路２ａの下流、の両方の風路へ空気が流入可能となる。同時に、循環送風機５、換気送風機１１が運転開始され、乾燥運転と異なり、加熱部７は通電されない。
【００５２】
涼風運転では、循環送風機５から吹出されて循環風路２ａに流入した浴室空気は、循環吹出口８から浴室内に吹出されると共に、一部が換気接続口９及び浴室吸込口１２ａを通って換気チャンバー１２へ流入し、他室吸込口１２ｂから吸込まれた空気と混合され、換気送風機１１に吸込まれて排気口１３から外部へ排気される。涼風運転では、浴室内へ送風しながら換気を行い、浴室の排熱を行うことができる。
【００５３】
風乾燥運転では、図４に示すように、回転ダンパー６の先端は、仕切板１９にも循環オリフィス（底板）１７にも接触せず、仕切板１９と循環オリフィス（底板）１７の中間位置から循環オリフィス（底板）１７側に近い位置に位置決めされる。それ故、換気接続口９から換気風路２ｂ、加熱部７が配置された循環風路２ａの下流、の両方の風路へ空気が流入可能となる。同時に、循環送風機５、換気送風機１１が運転開始され、乾燥運転と異なり、加熱部７は通電されない。
【００５４】
風乾燥運転では、循環送風機５から循環風路２ａに流入した浴室内空気は、加熱部７を通って循環吹出口８から浴室内に吹出されると共に、一部が換気接続口９及び浴室吸込口１２ａを通って換気チャンバー１２へ流入し、他室吸込口１２ｂから吸込まれた空気と混合され、換気送風機１１に吸込まれて排気口１３から外部へ排気される。風乾燥運転では、乾燥運転とは異なり、加熱部７は通電されないので、浴室内空気温度のまま、浴室内へ空気が吹出される。浴室に常温の風を送風すると共に、換気を行って浴室や衣類を乾燥する。風乾燥運転は、乾燥運転に比べて乾燥速度は遅いが、加熱部７は通電されないので、小さな消費電力で浴室内の乾燥を行うことができる。
【００５５】
暖房運転では、図５に示すように、回転ダンパー６を、仕切板１９に接触する位置まで回動させて換気接続口９を塞ぎ、循環吹出口８へ続く循環風路２ａの下流のみに空気が流入可能となる。同時に、循環送風機５が運転開始され、加熱部７は通電される。
【００５６】
暖房運転では、循環送風機５から吹出されて循環風路２ａに流入した浴室空気は、加熱部７を通って浴室内に吹出される。加熱部７を通る空気は加熱され、温風として浴室内へ吹出され、浴室内の暖房を行うことができる。
【００５７】
次に、図１及び図６を参照して、浴室乾燥機９１の多室換気機能について説明する。図６に示すように、換気風路２ｂには、他室吸込口１２ｂが複数個（３個）設けられている。夫々の他室吸込口１２ｂに他室からの排気用ダクトを接続し、換気送風機１１を動作させれば、他室の換気を行うことができる。使用しない接続口は、閉塞することができ、換気を行う室数を、任意に選択可能である。
【００５８】
排気接続口９を、換気チャンバー１２の浴室吸込口１２ａに連通させると共に、排気口１３の下方に配置するのは、循環送風機５と換気送風機１１を同時に運転して循環風路２ａから換気風路２ｂへ送風する乾燥運転、風乾燥運転及び涼風運転において、他室吸込口１２ｂへ空気が逆流するのを防ぐためである。他室吸込口１２ｂへの空気の逆流を確実に防止するために、他室吸込口１２ｂに逆流防止ダンパーを設けてもよい。また、循環送風機５が換気風路２ｂへ送り込む風量よりも換気送風機１１の吸込み風量が大きくなるように、両送風機の風量制御を行なう。
【００５９】
換気ダクトから他室吸込口１２ｂを通って換気チャンバー１２へ流入した他室空気は、換気吸込口１０を通り、換気送風機１１に吸込まれて、外部へと排気される。浴室乾燥機９１が停止のときは、図５に示すように、回転ダンパー６を換気接続口９を塞ぐ位置にすれば、他室のみを換気することが可能である。
【００６０】
実施の形態２．
図８は、本発明に係る浴室乾燥機の実施の形態２を示す断面図であり、図９は、実施の形態２の循環ユニットを示す断面図であり、図１０は、実施の形態２の換気ユニットを示す断面図であり、図１１は、実施の形態２の１室用の浴室乾燥機を示す断面図である。
【００６１】
図８に示すように、実施の形態２の浴室乾燥機９２が、実施の形態１の浴室乾燥機９１と異なるところは、循環ユニット９２Ａと換気ユニット９２Ｂが、それぞれ別体のユニットとなっていて、循環風路２ａと換気風路２ｂは、夫々別体のハウジング１６Ａ、１６Ｂ内に形成されていることである。循環ユニット９２Ａと換気ユニット９２Ｂは、分離可能であり、実施の形態１の浴室乾燥機９１の仕切板１９は廃止され、替わりに、循環ユニット９２Ａのハウジング１６Ａの天板が延長されている。
【００６２】
循環ユニット９２Ａは、室内空気の循環吸込口４、循環送風機５、循環送風機５を駆動するモータＭ１、回転ダンパー６、加熱部７、室内への循環吹出口８、換気接続口９を備えている。循環ユニット９２Ａは、循環オリフィス（底板）１７により、循環風路２ａと浴室とを仕切っており、循環オリフィス（底板）１７に、循環吸込口４が設けられている。循環ユニット９２Ａの浴室側には、意匠パネル１４が取付けられる。循環ユニット９２Ａのハウジング１６Ａの天板上には、制御部１５及び電源接続部（図示せず）が配置され、浴室外には、リモートコントローラ（図示せず）が設置されている。
【００６３】
換気ユニット９２Ｂ（図８、図１０参照）は、換気チャンバー１２、浴室吸込口１２ａ、他室吸込口１２ｂ、換気オリフィス１８、換気吸込口１０、換気送風機１１、換気送風機１１を駆動するモータＭ２及び排気口１３を備えている。換気吸込口１０は、換気オリフィス１８に設けられている。
【００６４】
図８に示す実施の形態２の浴室乾燥機９２は、循環ユニット９２Ａの換気接続口９の上側に、換気ユニット９２Ｂを接続したものである。なお、浴室乾燥機９２の上記の各部分（部品）は、図１に示す実施の形態１の浴室乾燥機９１と殆ど同一であるので、同一の符号を付してその説明を省略する。
【００６５】
実施の形態２の浴室乾燥機９２は、実施の形態１の浴室乾燥機９１と同様に、換気運転、乾燥運転、風乾燥運転、暖房運転及び涼風運転を行うことが可能である。各運転については、実施の形１の浴室乾燥機９１と同じであるので、説明を省略する。
【００６６】
次に、図８に示す実施の形態２の浴室乾燥機９２を、１室用の浴室乾燥機に改造した浴室乾燥機９３について、図１１を参照して説明する。浴室乾燥機９３は、図８に示す浴室乾燥機９２から換気ユニット９２Ｂを取外し、図９に示す循環ユニット９２Ａの換気接続口９の上側に、排気ダクト接続部材２２を取付けたものである。
【００６７】
排気ダクト接続部材２２は、排気方向が側方（図１１の右方向）となるように排気風路が形成され、横向きに排気口２１が開口している。排気口２１に排気ダクトを接続すれば、浴室の換気を行うことができる。
【００６８】
浴室乾燥機９３の運転については、図１に示す浴室乾燥機９１の運転において、換気接続口９から排気された浴室空気が、換気風路２ｂを通らず、排気ダクト接続部材２２を通って外部へ排気される点を除き同一であるので、その説明を省略する。
【００６９】
実施の形態２の浴室乾燥機９２は、循環ユニット９２Ａと換気ユニット９２Ｂとを分離可能とし、１室用は、循環ユニット９２Ａと排気ダクト接続部材２２により構成し、多室用は、循環ユニット９２Ａと換気ユニット９２Ｂにより構成することにより、一室用と多室用を組合わせて製造することができ、循環ユニット９２Ａの標準化が可能となる。
【産業上の利用可能性】
【００７０】
以上のように、本発明にかかる浴室乾燥機は、浴室の換気、乾燥、暖房を行う、家庭用又は業務用の浴室乾燥機として有用である。
【符号の説明】
【００７１】
２ａ  循環風路
２ｂ  換気風路
４  循環吸込口
５  循環送風機
６  回転ダンパー
７  加熱部
８  循環吹出口
９  換気接続口
１０  換気吸込口
１１  換気送風機
１２  換気チャンバー
１２ａ  浴室吸込口
１２ｂ  他室吸込口
１３  排気口
１４  意匠パネル
１５  制御部
１６  ハウジング
１７  循環オリフィス（底板）
１８  換気オリフィス
１９  仕切板
２０  フィルター
２１  排気口
２２  排気ダクト接続部材
２３  ダンパー回転軸
２４  扇状歯車
２５  小歯車
９１、９２、９３  浴室乾燥機
９１Ａ、９２Ａ  循環ユニット
９１Ｂ、９２Ｂ  換気ユニット
【図１】
2012127662.tif 000003
【図２】
2012127662.tif 000004
【図３】
2012127662.tif 000005
【図４】
2012127662.tif 000006
【図５】
2012127662.tif 000007
【図６】
2012127662.tif 000008
【図７】
2012127662.tif 000009
【図８】
2012127662.tif 000010
【図９】
2012127662.tif 000011
【図１０】
2012127662.tif 000012
【図１１】
2012127662.tif 000013
【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
ハウジングと底板により形成され、下向きに循環吸込口及び循環吹出口が設けられ、上向きに換気接続口が設けられ、内部に、循環送風機、前記換気接続口を開閉するダンパー及び加熱部が配置された循環風路を有し、浴室の天井に設置される循環ユニットと、
下向きに浴室吸込口が設けられ、横向きに排気口が設けられ、内部に換気送風機が配置された換気風路を有し、幅及び奥行きが前記循環ユニットの幅及び奥行以下に形成され、前記循環ユニットの上に配置された換気ユニットと、
を備え、前記加熱部は前記ダンパーの下流側に配置されていることを特徴とする浴室乾燥機。
【請求項２】
前記循環ユニットと前記換気ユニットは、一体のハウジングを有することを特徴とする請求項１に記載の浴室乾燥機。
【請求項３】
前記循環ユニットと前記換気ユニットは、夫々別体のハウジングを有することを特徴とする請求項１に記載の浴室乾燥機。
【請求項４】
前記ダンパーは、前記循環風路内の循環送風機と加熱部との間の換気接続口の下側に配置され、前記換気風路には、前記浴室吸込口の他に浴室以外の他室から空気を吸込む他室吸込口が設けられ、前記換気接続口は、前記排気口の下方に配置されていることを特徴とする請求項１に記載の浴室乾燥機。
【請求項５】
前記ダンパーは、基端部に設けられたダンパー回転軸回りに回動する回転ダンパーであり、該回転ダンパーは、ステッピングモータにより駆動され、前記換気接続口を閉じる位置と、前記循環風路の下流側を閉じ該循環風路の上流側を前記換気接続口に連通させる位置と、前記循環風路の上流側を、前記下流側と前記換気接続口の両方に連通させる位置と、に位置決めされることを特徴とする請求項１に記載の浴室乾燥機。
【請求項６】
前記加熱部は、自己温度制御機能を有するヒーターで構成されていることを特徴とする請求項１に記載の浴室乾燥機。
【請求項７】
ハウジングと底板により形成され、下向きに循環吸込口及び循環吹出口が設けられ、上向きに換気接続口が設けられ、内部に、循環送風機、前記換気接続口を開閉するダンパー及び加熱部が配置された循環風路を有し、浴室の天井に設置される循環ユニットと、
前記循環ユニットの換気接続口の上に配置され、横向きに排気口が設けられた排気ダクト接続部材と、
を備えることを特徴とする浴室乾燥機。
【手続補正２】
【補正対象書類名】明細書
【補正対象項目名】００１２
【補正方法】変更
【補正の内容】
【００１２】
上述した課題を解決し、目的を達成するために、本発明は、ハウジングと底板により形成され、下向きに循環吸込口及び循環吹出口が設けられ、上向きに換気接続口が設けられ、内部に、循環送風機、前記換気接続口を開閉するダンパー及び加熱部が配置された循環風路を有し、浴室の天井に設置される循環ユニットと、下向きに浴室吸込口が設けられ、横向きに排気口が設けられ、内部に換気送風機が配置された換気風路を有し、幅及び奥行きが前記循環ユニットの幅及び奥行以下に形成され、前記循環ユニットの上に配置された換気ユニットと、を備え、前記加熱部は前記ダンパーの下流側に配置されていることを特徴とする。
【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
ハウジングと底板により形成され、下向きに循環吸込口及び循環吹出口が設けられ、上向きに換気接続口が設けられ、内部に、循環送風機、前記換気接続口を開閉するダンパー及び加熱部が配置された循環風路を有し、浴室の天井に設置される循環ユニットと、
下向きに前記換気接続口を通して前記循環風路に接続する浴室吸込口が設けられ、横向きに排気口が設けられ、内部に換気送風機が配置された換気風路を有し、幅及び奥行きが前記循環ユニットの幅及び奥行以下に形成され、前記循環ユニットの上に配置された換気ユニットと、
を備え、前記加熱部は前記ダンパーの下流側に配置されていることを特徴とする浴室乾燥機。
【請求項２】
前記循環ユニットと前記換気ユニットは、一体のハウジングを有することを特徴とする請求項１に記載の浴室乾燥機。
【請求項３】
前記循環ユニットと前記換気ユニットは、夫々別体のハウジングを有することを特徴とする請求項１に記載の浴室乾燥機。
【請求項４】
前記ダンパーは、前記循環風路内の循環送風機と加熱部との間の換気接続口の下側に配置され、前記換気風路には、前記浴室吸込口の他に浴室以外の他室から空気を吸込む他室吸込口が設けられ、前記換気接続口は、前記排気口の下方に配置されていることを特徴とする請求項１に記載の浴室乾燥機。
【請求項５】
前記ダンパーは、基端部に設けられたダンパー回転軸回りに回動する回転ダンパーであり、該回転ダンパーは、ステッピングモータにより駆動され、前記換気接続口を閉じる位置と、前記循環風路の下流側を閉じ該循環風路の上流側を前記換気接続口に連通させる位置と、前記循環風路の上流側を、前記下流側と前記換気接続口の両方に連通させる位置と、に位置決めされることを特徴とする請求項１に記載の浴室乾燥機。
【請求項６】
前記加熱部は、自己温度制御機能を有するヒーターで構成されていることを特徴とする請求項１に記載の浴室乾燥機。
【手続補正２】
【補正対象書類名】明細書
【補正対象項目名】００１２
【補正方法】変更
【補正の内容】
【００１２】
上述した課題を解決し、目的を達成するために、本発明は、ハウジングと底板により形成され、下向きに循環吸込口及び循環吹出口が設けられ、上向きに換気接続口が設けられ、内部に、循環送風機、前記換気接続口を開閉するダンパー及び加熱部が配置された循環風路を有し、浴室の天井に設置される循環ユニットと、下向きに前記換気接続口を通して前記循環風路に接続する浴室吸込口が設けられ、横向きに排気口が設けられ、内部に換気送風機が配置された換気風路を有し、幅及び奥行きが前記循環ユニットの幅及び奥行以下に形成され、前記循環ユニットの上に配置された換気ユニットと、を備え、前記加熱部は前記ダンパーの下流側に配置されていることを特徴とする。
【国際調査報告】
2012127662.tif 000014
2012127662.tif 000015
2012127662.tif 000016
2012127662.tif 000017